(57)【要約】【課題】録画されているコンテンツが再生されている状況においても、現在の時刻を示す映像を提供する。【解決手段】再生装置１００は、録画されているコンテンツを再生する。時計画像判定部１２は、再生されているコンテンツである再生コンテンツが示す映像内に、時刻を示す時計画像が存在するか否かを判定する。時計画像変更部１８は、再生コンテンツが示す映像の時計領域に存在する時計画像を、現在の時刻を示す正時計画像に置き換えることにより当該映像が変更された変更映像Ｉｍａを生成する。【選択図】図１
2020145631.tif 000002
【特許請求の範囲】
【請求項１】
映像信号が示す映像を表示可能な表示装置と通信する機能を有し、かつ、録画されているコンテンツを再生する再生装置であって、
現在の時刻を検出する現時刻検出部と、
再生されている前記コンテンツである再生コンテンツが示す映像内に、時刻を示す時計画像が存在するか否かを判定する第１判定処理を行う時計画像判定部と、を備え、
前記第１判定処理において前記時計画像が存在すると判定された場合、前記時計画像判定部は当該時計画像が存在する領域である時計領域を特定し、
前記再生装置は、さらに、
時計画像変更部を備え、
前記時計画像変更部は、前記時計領域が特定された場合、
（ａ１）前記再生コンテンツが示す映像の当該時計領域に存在する前記時計画像を、前記現在の時刻を示す正時計画像に置き換えることにより当該映像が変更された変更映像を生成し、
（ａ２）生成された前記変更映像を示す映像信号を前記表示装置へ送信する、
再生装置。
【請求項２】
前記再生装置は、さらに、
前記時計画像から、当該時計画像が示す時刻の表示形態に関する情報である時計情報を検出する時計情報検出部と、
前記現在の時刻を、前記時計画像が示す時刻の表示形態と同じ表示形態で示す前記正時計画像を、前記時計情報に基づいて生成する時計画像生成部と、を備え、
前記時計画像変更部は、前記再生コンテンツが示す映像と、前記正時計画像とを使用して、前記変更映像を生成する、
請求項１に記載の再生装置。
【請求項３】
前記再生装置は、さらに、
前記時計画像が存在するか否かを示す時計存在情報と、前記時計情報とを含む時計関連情報を、再生されている前記再生コンテンツに対応付けて記憶する時計関連情報記憶部と、
前記再生コンテンツに対応付けられた前記時計関連情報が前記時計関連情報記憶部に記憶されているか否かを判定する第２判定処理を行なう時計関連情報判定部とを備え、
前記第２判定処理において前記時計関連情報が前記時計関連情報記憶部に記憶されていないと判定され、かつ、前記第１判定処理において前記時計画像が存在すると判定された場合、前記時計画像判定部は前記時計領域を特定する、
請求項２に記載の再生装置。
【請求項４】
前記再生装置の動作モードには、正しい時刻を表示するための正時刻表示モードが存在し、
前記再生装置は、さらに、
前記動作モードが前記正時刻表示モードであるか否かを判定する第３判定処理を行い、かつ、前記時計関連情報記憶部から前記時計存在情報を読み出す時刻補正判定部を備え、
前記時計画像生成部は、前記第３判定処理において前記動作モードが前記正時刻表示モードであると判定され、かつ、前記時計存在情報が、前記時計画像が存在することを示す場合、前記正時計画像を生成する、
請求項３に記載の再生装置。
【請求項５】
前記時計画像判定部は、前記再生コンテンツが再生されている期間においてチャプタが変更された場合、変更後の当該チャプタに対応する先頭のフレームである映像のみに対し、前記第１判定処理を行なう、
請求項１から４のいずれか１項に記載の再生装置。
【請求項６】
前記再生装置の動作モードには、正しい時刻を表示するための正時刻表示モードが存在し、
前記再生装置は、さらに、
前記動作モードが前記正時刻表示モードであるか否かを判定する第３判定処理を行う時刻補正判定部を備え、
前記第３判定処理において前記動作モードが前記正時刻表示モードであると判定され、かつ、前記第１判定処理において前記時計画像が存在すると判定された場合、前記時計画像判定部は前記時計領域を特定する、
請求項１または２に記載の再生装置。
【発明の詳細な説明】
【技術分野】
【０００１】
本発明は、録画されているコンテンツを再生する再生装置に関する。
【背景技術】
【０００２】
テレビ放送に基づく映像を視聴しているユーザーは、当該映像に表示されている時計を参照して日常生活を進めることがある。そのため、映像に示される時計の時刻は、正しい時刻である必要がある。
【０００３】
例えば、特許文献１では、現在時刻を、より正確に補正する構成（以下、「関連構成Ａ」ともいう）が開示されている。具体的には、関連構成Ａでは、デジタル方式の放送波から、放送中の番組の開始時刻を含む番組情報を取得する。また、放送中の番組から後続番組への切替わりが検出される。そして、当該切替わりが検出されたときに、現在時刻と後続番組の開始時刻との差分を現在時刻に加算する。
【先行技術文献】
【特許文献】
【０００４】
【特許文献１】国際公開第２０１６／０２０９６９号パンフレット
【発明の概要】
【発明が解決しようとする課題】
【０００５】
再生装置が録画されているコンテンツを再生している状況において、当該コンテンツが示す映像に、時刻を示す時計画像が存在する場合がある。この場合、時計画像が示す時刻は、コンテンツが録画された過去の時刻である。
【０００６】
そこで、録画されているコンテンツが再生されている状況においても、現在の時刻を示す映像を提供することが要求される。関連構成Ａでは、この要求を満たすことはできない。
【０００７】
本発明は、このような問題を解決するためになされたものであり、録画されているコンテンツが再生されている状況においても、現在の時刻を示す映像を提供することが可能な再生装置を提供することを目的とする。
【課題を解決するための手段】
【０００８】
上記目的を達成するために、本発明の一態様に係る再生装置は、映像信号が示す映像を表示可能な表示装置と通信する機能を有し、かつ、録画されているコンテンツを再生する。前記再生装置は、現在の時刻を検出する現時刻検出部と、再生されている前記コンテンツである再生コンテンツが示す映像内に、時刻を示す時計画像が存在するか否かを判定する第１判定処理を行う時計画像判定部と、を備え、前記第１判定処理において前記時計画像が存在すると判定された場合、前記時計画像判定部は当該時計画像が存在する領域である時計領域を特定し、前記再生装置は、さらに、時計画像変更部を備え、前記時計画像変更部は、前記時計領域が特定された場合、（ａ１）前記再生コンテンツが示す映像の当該時計領域に存在する前記時計画像を、前記現在の時刻を示す正時計画像に置き換えることにより当該映像が変更された変更映像を生成し、（ａ２）生成された前記変更映像を示す映像信号を前記表示装置へ送信する。
【発明の効果】
【０００９】
本発明によれば、再生装置は、録画されているコンテンツを再生する。時計画像判定部は、再生されている前記コンテンツである再生コンテンツが示す映像内に、時刻を示す時計画像が存在するか否かを判定する。前記時計画像変更部は、前記再生コンテンツが示す映像の当該時計領域に存在する前記時計画像を、前記現在の時刻を示す正時計画像に置き換えることにより当該映像が変更された変更映像を生成する。
【００１０】
これにより、生成される変更映像には、現在の時刻を示す正時計画像が存在する。したがって、録画されているコンテンツが再生されている状況においても、現在の時刻を示す映像を提供することができる。
【図面の簡単な説明】
【００１１】
【図１】実施の形態１に係る再生装置の構成を示すブロック図である。
【図２】表示装置の外観を示す図である。
【図３】実施の形態１に係る再生制御処理のフローチャートである。
【図４】再生制御処理により得られる映像を示す図である。
【図５】実施の形態２に係る再生装置の構成を示すブロック図である。
【図６】実施の形態２に係る再生制御処理Ａのフローチャートである。
【図７】再生装置の特徴的な機能構成を示すブロック図である。
【図８】再生装置のハードウエア構成図である。
【発明を実施するための形態】
【００１２】
以下、図面を参照しつつ、実施の形態について説明する。以下の図面では、同一の各構成要素には同一の符号を付してある。同一の符号が付されている各構成要素の名称および機能は同じである。したがって、同一の符号が付されている各構成要素の一部についての詳細な説明を省略する場合がある。
【００１３】
＜実施の形態１＞
図１は、実施の形態１に係る再生装置１００の構成を示すブロック図である。再生装置１００は、コンテンツを録画する機能を有する。コンテンツは、例えば、地上デジタル放送の規格に基づいた映像データ（放送番組）である。以下においては、録画されているコンテンツを、「録画コンテンツ」ともいう。録画コンテンツは、例えば、録画された映像データ（放送番組）である。
【００１４】
また、再生装置１００は、録画されているコンテンツを再生する機能を有する。また、再生装置１００は、表示装置５０と通信する機能を有する。再生装置１００は、表示装置５０に接続される。
【００１５】
図２は、表示装置５０の外観を示す図である。図２では、表示装置５０が、台に設置されている状態を示す。表示装置５０は、映像信号が示す映像を表示可能な装置である。表示装置５０は、例えば、液晶テレビである。表示装置５０は、表示部５１を有する。表示部５１は、映像を表示する。
【００１６】
再生装置１００の動作モードには、正時刻表示モードおよび通常モードが存在する。正時刻表示モードは、正しい時刻を表示するための動作モードである。通常モードは、通常の動作モードである。再生装置１００の動作モードの設定は、例えば、ユーザーがリモコンを操作することにより、行われる。
【００１７】
ここで、ユーザーが、リモコンに対し、再生装置１００の動作モードを正時刻表示モードに設定するための操作を行ったと仮定する。この場合、リモコンから、再生装置１００へ、動作モードを正時刻表示モードに設定するためのコマンドが送信される。再生装置１００は、当該コマンドを受信すると、動作モードを正時刻表示モードに設定する。
【００１８】
なお、再生装置１００は、モード情報を記憶する。モード情報は、動作モードが、正時刻表示モードまたは通常モードであることを示す。モード情報は、例えば、再生装置１００に設けられる、図示しない記憶部に記憶されている。
【００１９】
なお、再生装置１００の動作モードは、予め、正時刻表示モードに設定されていてもよい。この場合、リモコンを使用した動作モードの設定は不要である。
【００２０】
次に、再生装置１００の構成について説明する。図１を参照して、再生装置１００は、再生部２０と、時計関連情報判定部１１と、時計画像判定部１２と、時計情報検出部１３と、時計関連情報記憶部１４と、時刻補正判定部１５と、時計画像生成部１６と、現時刻検出部１７と、時計画像変更部１８とを備える。
【００２１】
再生部２０は、録画コンテンツを再生する機能を有する。当該録画コンテンツは、例えば、図示しない記憶部に記憶されている。
【００２２】
以下においては、再生されているコンテンツを、「再生コンテンツ」ともいう。また、以下においては、再生コンテンツを、「映像データＩｍｄ」ともいう。再生コンテンツとしての映像データＩｍｄは、複数のフレームを示す。当該複数のフレームにより、動画が構成される。
【００２３】
再生部２０は、再生コンテンツとしての映像データＩｍｄが示す複数のフレームを、１つのフレーム単位で、時計画像判定部１２および時計画像変更部１８へ送信する。そのため、時計画像判定部１２および時計画像変更部１８の各々は、複数のフレームを、１つのフレーム単位で、順次受信する。
【００２４】
以下においては、映像を、「映像Ｉｍ」と表現する。映像Ｉｍは、複数のフレームから構成される動画である。なお、映像Ｉｍは、動画に含まれる各フレームであってもよい。
【００２５】
時計関連情報判定部１１は、時計画像判定部１２を制御する。詳細は後述するが、時計関連情報判定部１１は、後述の時計関連情報が時計関連情報記憶部１４に記憶されているか否かを判定する。
【００２６】
時計画像判定部１２は、時計関連情報判定部１１の制御に従って動作する。詳細は後述するが、時計画像判定部１２は、再生コンテンツが示す映像Ｉｍ内に、時刻を示す時計画像が存在するか否かを判定する判定処理を行う。
【００２７】
詳細は後述するが、時計情報検出部１３は、時計画像から、後述の時計情報を検出する処理を行う。時計画像とは、時刻を示す画像である。
【００２８】
詳細は後述するが、時計関連情報記憶部１４は、各コンテンツに対応付けて時計関連情報を記憶する機能を有する。時計関連情報記憶部１４は、例えば、各録画コンテンツに対応付けて時計関連情報を記憶する機能を有する。時計関連情報は、例えば、後述の時計存在情報および後述の時計情報とを含む。
【００２９】
詳細は後述するが、時刻補正判定部１５は、再生装置１００の動作モードが正時刻表示モードであるか否かを判定する。また、動作モードが正時刻表示モードである場合、時刻補正判定部１５は、時計画像生成部１６が動作するように、当該時計画像生成部１６を制御する。
【００３０】
時計画像生成部１６は、時刻補正判定部１５の制御に従って、動作する。詳細は後述するが、時計画像生成部１６は、後述の正時計画像を生成する。
【００３１】
現時刻検出部１７は、現在の時刻を検出する。なお、現時刻検出部１７は、随時、地上デジタルの放送信号を受信している。当該放送信号は、例えば、地上デジタル放送のＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ）方式で多重化された信号である。現時刻検出部１７は、放送信号から得られるＴＳ（Ｔｒａｎｓｐｏｒｔ Ｓｔｒｅａｍ）に含まれるＴＤＴ（Ｔｉｍｅ ａｎｄ Ｄａｔｅ Ｔａｂｌｅ）またはＴＯＴ（Ｔｉｍｅ Ｏｆｆｓｅｔ Ｔａｂｌｅ）などを参照することにより、現在の時刻を検出する。なお、ＴＳは、放送信号を復調したものである。
【００３２】
なお、現在の時刻の検出方法は上記に限定されない。例えば、再生装置１００に、現在の時刻を示す時計が内蔵された構成において、現時刻検出部１７が、当該時計から現在の時刻を検出してもよい。
【００３３】
以上により、現時刻検出部１７は、常に、現在の時刻を把握している。現時刻検出部１７は、随時、現在の時刻を時計画像生成部１６に通知している。
【００３４】
時計画像変更部１８は、表示装置５０に接続される。詳細は後述するが、時計画像変更部１８は、後述の変更映像Ｉｍａを生成する。時計画像変更部１８は、映像を示す映像信号を表示装置５０へ送信する。
【００３５】
次に、再生装置１００が行う処理（以下、「再生制御処理」ともいう）について説明する。図３は、実施の形態１に係る再生制御処理のフローチャートである。再生制御処理の一例を分かりやすくするために、以下の前提Ｐｍ１のもとで行われる再生制御処理について説明する。
【００３６】
前提Ｐｍ１では、時計関連情報記憶部１４に時計関連情報が記憶されていない。また、前提Ｐｍ１では、再生装置１００の動作モードは正時刻表示モードである。また、再生制御処理の一例を分かりやすくするために、前提Ｐｍ１では、再生装置１００には、１つの録画コンテンツが記憶されているとする。
【００３７】
前提Ｐｍ１における再生制御処理では、まず、再生部２０が、録画されているコンテンツ（録画コンテンツ）を再生する（ステップＳ１１）。
【００３８】
前述したように、再生されているコンテンツを、「再生コンテンツ」ともいう。再生コンテンツは、映像Ｉｍを示す。なお、前提Ｐｍ１では、再生コンテンツが示す映像Ｉｍは、一例として、図２の映像Ｉｍである。図２の映像Ｉｍ内に時計画像５３が存在する。時計画像５３は、時刻を示す画像である。
【００３９】
以下においては、映像Ｉｍにおいて時計画像が存在する領域を、「時計領域」ともいう。時計領域は、例えば、図２の映像Ｉｍにおいて、時計画像５３が存在する領域である。また、以下においては、映像Ｉｍにおいて、時計画像が存在する位置を、「時計画像位置」ともいう。また、以下においては、映像Ｉｍにおける時計領域の位置を、「時計領域位置」ともいう。時計領域位置は、例えば、映像Ｉｍにおける座標により表現される。時計画像位置は、時計領域位置に相当する。
【００４０】
ステップＳ１１によりコンテンツが再生されることに伴い、映像Ｉｍを示す映像データＩｍｄ（再生コンテンツ）が、時計画像判定部１２および時計画像変更部１８へ送信される。具体的には、時計画像判定部１２および時計画像変更部１８の各々は、複数のフレームを、１つのフレーム単位で、順次受信する。
【００４１】
次に、時計関連情報判定部１１が、時計関連情報があるか否かを判定する（ステップＳ１２）。具体的には、時計関連情報判定部１１が、再生されている再生コンテンツに対応付けられた時計関連情報が時計関連情報記憶部１４に記憶されているか否かを判定する判定処理Ｎを行なう。
【００４２】
ステップＳ１２においてＹＥＳならば、処理は後述のステップＳ１３へ移行する。一方、ステップＳ１２においてＮＯならば、処理はステップＳ１４へ移行する。前提Ｐｍ１における、１回目のステップＳ１２では、時計関連情報記憶部１４に時計関連情報が記憶されていない。そのため、処理はステップＳ１４へ移行する。なお、ステップＳ１２においてＮＯの場合は、判定処理Ｎにおいて時計関連情報が時計関連情報記憶部１４に記憶されていないと判定された場合である。
【００４３】
ステップＳ１４では、時計画像が存在するか否かが判定される。具体的には、時計関連情報判定部１１の制御に従って、時計画像判定部１２が、再生コンテンツが示す映像Ｉｍ内に、時刻を示す時計画像が存在するか否かを判定する判定処理Ａを行う。
【００４４】
判定処理Ａは、映像Ｉｍを構成する複数のフレームのうち、予め設定された範囲のフレームに、時計画像が存在するか否かを判定する処理である。予め設定された範囲のフレームは、例えば、映像Ｉｍを構成する複数のフレームの一部である。また、予め設定された範囲のフレームは、例えば、映像Ｉｍを構成する複数のフレームの全てである。なお、当該範囲は、任意に設定することができる。
【００４５】
ステップＳ１４においてＹＥＳならば、処理はステップＳ１５Ａへ移行する。一方、ステップＳ１４においてＮＯならば、処理は後述のステップＳ１６へ移行する。ステップＳ１４においてＹＥＳの場合は、判定処理Ａにおいて時計画像が存在すると判定された場合である。
【００４６】
前提Ｐｍ１では、映像Ｉｍ内に時計画像５３が存在する。そのため、処理はステップＳ１５Ａへ移行する。なお、処理がステップＳ１５Ａへ移行する場合は、判定処理Ｎにおいて時計関連情報が時計関連情報記憶部１４に記憶されていないと判定され、かつ、判定処理Ａにおいて時計画像が存在すると判定された場合である。以下においては、コンテンツが再生されている期間を、「再生期間」ともいう。
【００４７】
なお、通常、時計画像の表示状態は、長時間に渡って、継続される。そこで、時計画像判定部１２は、再生期間においてチャプタが変更された場合、変更後の当該チャプタに対応する先頭のフレームである映像のみに対し、判定処理Ａを行なってもよい。当該チャプタとは、再生されているコンテンツにおける再生位置である。これにより、後述の記憶処理Ａが行われた場合において、時計関連情報記憶部１４が記憶する情報の量を削減することができる。
【００４８】
ステップＳ１５Ａでは、時計画像取得処理が行われる。時計画像取得処理では、まず、時計関連情報判定部１１の制御に従って、時計画像判定部１２が、時計領域特定処理を行う。時計領域特定処理では、時計画像判定部１２は、時計画像が存在する時計領域を特定（抽出）する。時計領域の特定は、例えば、以下の公知な方法Ａにより行なわれる。
【００４９】
方法Ａは、以下の技術Ａを利用した方法である。技術Ａは、文献情報（河合吉彦、他２名、「エッジ空間パターンを利用したテレビ番組映像からの字幕テキスト領域検出」、映像情報メディア学会誌ｖｏｌ．６９，Ｎｏ５、ｐｐ．Ｊ１９７−Ｊ２０６、２０１５年）で特定される文献の技術である。
【００５０】
前提Ｐｍ１における時計領域特定処理では、時計画像判定部１２が、例えば、図２の時計画像５３が存在する時計領域を特定する。また、時計画像判定部１２は、時計画像５３を取得する。また、時計画像判定部１２は、時計画像位置（時計領域位置）も特定する。以下においては、時計画像位置を示す情報を、「位置情報」ともいう。そして、時計画像判定部１２は、取得した時計画像、および、位置情報を、時計情報検出部１３へ送信する。
【００５１】
次に、時計情報検出部１３は、時計画像から時計情報を検出する時計情報検出処理を行う（ステップＳ１５Ｂ）。時計情報は、時計画像が示す時刻の表示形態に関する情報である。時計情報は、文字サイズ、文字の種類等である。文字サイズとは、時刻を示す文字のサイズである。文字の種類とは、数字、アルファベット等を識別するための種類である。なお、時計情報は、時計の種類であってもよい。時計の種類とは、アナログ時計、デジタル時計等を識別するための種類である。
【００５２】
時計情報の検出は、例えば、以下の公知な方法Ｂ，Ｃ等により行なわれる。方法Ｂは、以下の技術Ｂを利用した方法である。技術Ｂは、文献情報（堀修、「テロップ認識のための映像からの文字抽出法」、情報処理学会研究報告コンピュータビジョンとイメージメディア、３（１９９８−ＣＶＩＭ−１１４）、ｐｐ．１２９−１３６、１９９９年１月）で特定される文献の技術である。
【００５３】
また、方法Ｃは、以下の技術Ｃを利用した方法である。技術Ｃは、文献情報（森稔、他４名、「背景・文字列の形状特徴と動的修正識別関数を用いた映像中テロップ文字列認識」、電子情報通信学会論文詩、ｖｏｌ．Ｊ８３−Ｄ２、Ｎｏ．７、ｐｐ．１６５８−１６６６、２０００年７月）で特定される文献の技術である。
【００５４】
技術Ｂ，Ｃ等を使用した時計情報検出処理により、時計情報検出部１３は、時計画像から時計情報を検出する。前提Ｐｍ１における時計情報検出処理により検出された時計情報は、例えば、時計画像５３が示す時刻の表示形態に関する情報である。なお、時計情報の検出は、技術Ｂ，Ｃを組み合わせた技術により行なわれてもよい。
【００５５】
そして、時計情報検出部１３は、時計情報および位置情報を、時計関連情報記憶部１４へ送信する。
【００５６】
次に、記憶処理Ａが行われる（ステップＳ１５Ｃ）。記憶処理Ａでは、時計関連情報記憶部１４が、受信した時計情報および位置情報と、時計存在情報とを含む時計関連情報を、再生されている録画コンテンツ（再生コンテンツ）に対応付けて記憶する。すなわち、時計関連情報記憶部１４は、時計情報、位置情報および時計存在情報を、再生されている録画コンテンツに対応付けて記憶する。上記の情報を録画コンテンツに対応付けて記憶することは、時計関連情報記憶部１４が、例えば、当該上記の情報を、録画コンテンツを識別するための識別子に対応付けて記憶することで実現される。
【００５７】
時計存在情報は、時計画像が存在するか否かを示す情報である。記憶処理Ａにおいて時計関連情報記憶部１４が記憶する時計存在情報は、時計画像が存在する旨を示す。例えば、当該時計存在情報は、「時計画像あり」という情報を示す。そのため、記憶処理Ａにより、時計関連情報記憶部１４が記憶する時計存在情報は、「時計画像あり」という情報を示す。
【００５８】
次に、時刻補正判定部１５が、再生装置１００の動作モードが正時刻表示モードであるか否かを判定する判定処理Ｂを行う（ステップＳ１７）。具体的には、時刻補正判定部１５は、モード情報を参照し、当該モード情報が、動作モードが正時刻表示モードであることを示すか否かを判定する。
【００５９】
ステップＳ１７においてＹＥＳならば、処理はステップＳ１８へ移行する。一方、ステップＳ１７においてＮＯならば、この再生制御処理は終了する。ステップＳ１７でＹＥＳの場合は、判定処理Ｂにおいて動作モードが正時刻表示モードであると判定された場合である。
【００６０】
前提Ｐｍ１では、再生装置１００の動作モードは正時刻表示モードである。そのため、処理はステップＳ１８へ移行する。
【００６１】
ステップＳ１８では、時計画像があるか否かが判定される。具体的には、まず、時刻補正判定部１５が、時計関連情報記憶部１４から、再生されている録画コンテンツ（再生コンテンツ）に対応付けられている時計存在情報を読み出す。
【００６２】
そして、時刻補正判定部１５は、読み出された時計存在情報が時計画像が存在することを示すか否かを判定する。具体的には、時刻補正判定部１５は、時計存在情報が、「時計画像あり」という情報を示すか否かを判定する。
【００６３】
ステップＳ１８においてＹＥＳならば処理はステップＳ１９へ移行する。一方、ステップＳ１８においてＮＯならば、この再生制御処理は終了する。ステップＳ１８でＹＥＳの場合は、時計存在情報が、時計画像が存在することを示す場合である。前提Ｐｍ１では、時計存在情報が、「時計画像あり」という情報を示す。そのため、処理はステップＳ１９へ移行する。
【００６４】
ステップＳ１９では、正時計画像を生成する正時計画像生成処理が行われる。正時計画像は、現在の時刻を示す画像である。以下においては、再生コンテンツが示す映像Ｉｍ内に存在する時計画像を、「時計画像Ｎ」ともいう。また、以下においては、時計画像Ｎが示す時刻の表示形態を、「表示形態Ｎ」ともいう。なお、本明細書における「表示形態Ｎと同じ表示形態」という表現は、「表示形態Ｎと同等の表示形態」という意味も含む。また、以下においては、表示形態Ｎと同じ表示形態を、「表示形態Ａ」ともいう。
【００６５】
正時計画像は、現在の時刻を、表示形態Ｎと同じ表示形態Ａで示す画像である。ここで、時計画像Ｎは、図２の時計画像５３であると仮定する。また、現在の時刻は、１９時１２分であると仮定する。この場合、正時計画像は、現在の時刻（１９時１２分）を、時計画像５３が示す時刻（１０時５０分）の表示形態と同じ表示形態で示す画像である。当該正時計画像は、例えば、図４の時計画像５４である。正時計画像である時計画像５４は、例えば、現在の時刻（１９時１２分）を、時計画像５３が示す時刻（１０時５０分）の文字のサイズと同じサイズの文字で表現する画像である。
【００６６】
なお、正時計画像が示す時刻は、前述の文字の種類、時計の種類等も、時計画像５３と同じに設定されてもよい。
【００６７】
正時計画像生成処理では、時計画像生成部１６が、時計関連情報記憶部１４から、再生されている録画コンテンツ（再生コンテンツ）に対応付けられている時計情報および位置情報を読み出す。
【００６８】
そして、時計画像生成部１６は、正時計画像を、時計情報に基づいて生成する。具体的には、時計画像生成部１６は、現時刻検出部１７から通知される現在の時刻と、時計情報（文字サイズ、文字の種類等）とを使用して、現在の時刻を示す正時計画像を生成する。生成された正時計画像は、例えば、図４の時計画像５４である。
【００６９】
そして、時計画像生成部１６は、正時計画像と、読み出された位置情報とを、時計画像変更部１８へ送信する。
【００７０】
以下においては、再生コンテンツが示す映像Ｉｍの時計領域に存在する時計画像を、正時計画像に置き換えることにより得られる映像を、「変更映像Ｉｍａ」ともいう。変更映像Ｉｍａは、映像Ｉｍが変更された映像である。なお、前述の処理により、時計画像変更部１８は映像データＩｍｄを受信している。
【００７１】
次に、ステップＳ２０の処理が行われる。ステップＳ２０では、時刻補正処理が行われる。時刻補正処理では、時計画像変更部１８が、再生コンテンツが示す映像Ｉｍの時計領域に存在する時計画像を、正時計画像に置き換えることにより当該映像Ｉｍが変更された変更映像Ｉｍａを生成する。すなわち、時計画像変更部１８は、再生コンテンツが示す映像Ｉｍと、正時計画像とを使用して、変更映像Ｉｍａを生成する。
【００７２】
具体的には、時計画像変更部１８は、受信した位置情報が示す時計画像位置に基づいて、映像データＩｍｄが示す映像Ｉｍの時計領域に存在する時計画像に正時計画像を重ねる。これにより、変更映像Ｉｍａが生成される。なお、時計画像に正時計画像を重ねる処理は、例えば、ＯＳＤ（Ｏｎ  Ｓｃｒｅｅｎ  Ｄｉｓｐｌａｙ）の機能により実現されてもよい。
【００７３】
ここで、時計画像が図２の時計画像５３であり、正時計画像が図４の時計画像５４であると仮定する。この場合、時刻補正処理により生成される変更映像Ｉｍａは、図４の変更映像Ｉｍａである。
【００７４】
そして、時計画像変更部１８は、生成された変更映像Ｉｍａを示す映像信号を表示装置５０へ送信する。
【００７５】
表示装置５０は、受信した映像信号が示す変更映像Ｉｍａを表示する。すなわち、図４のように、表示装置５０の表示部５１は、変更映像Ｉｍａを表示する。
【００７６】
ここで、再生装置１００の動作モードが通常モードである状況において、再生装置１００が、時計画像を示す録画コンテンツを再生すると仮定する。この場合、例えば、図２のように、表示装置５０は、時計画像５３を示す映像Ｉｍを表示する。ここで、図２および図４の時計５２が示す現在の時刻は、１９時１２分であると仮定する。この場合、図２の表示装置５０の表示部５１に表示されている時計画像５３の時刻（１０時５０分）は、現在の時刻（１９時１２分）と異なっている。
【００７７】
一方、前提Ｐｍ１における上記の再生制御処理が行われた状態では、図４のように、表示装置５０の表示部５１に表示されている変更映像Ｉｍａは、現在の時刻（１９時１２分）を示す時計画像５４を示す。そのため、時計画像５４が示す現在の時刻（１９時１２分）は、図４の時計５２が示す現在の時刻（１９時１２分）と同じである。
【００７８】
これにより、ユーザーが、録画コンテンツの録画時の過去の時刻を、現在の時刻と誤認識することを防ぐことができる。
【００７９】
なお、前述の前提Ｐｍ１を考慮しない場合における再生制御処理の一部について説明する。図３の再生制御処理のステップＳ１２においてＹＥＳならば、処理はステップＳ１３へ移行する。ステップＳ１３では、停止処理が行われる。停止処理では、時計関連情報判定部１１が、時計画像判定部１２の動作が停止するように、当該時計画像判定部１２を制御する。
【００８０】
また、図３の再生制御処理のステップＳ１４においてＮＯならば、処理はステップＳ１６へ移行する。ステップＳ１４でＮＯの場合、時計関連情報記憶部１４は、時計情報検出部１３から時計情報を受信しない。
【００８１】
ステップＳ１６では、記憶処理Ｂが行われる。記憶処理Ｂでは、時計関連情報記憶部１４が、時計存在情報を、再生されている録画コンテンツに対応付けて記憶する。記憶処理Ｂにおいて時計関連情報記憶部１４が記憶する時計存在情報は、時計画像が存在しない旨を示す。例えば、当該時計存在情報は、「時計画像なし」という情報を示す。
【００８２】
なお、図３の再生制御処理におけるステップＳ１４，Ｓ１５Ａ，Ｓ１５Ｂ，Ｓ１５Ｃ，Ｓ１６は、ユーザーが再生装置１００を使用していない待機時に、実施されてもよい。
【００８３】
以上説明したように、本実施の形態によれば、再生装置１００は、録画されているコンテンツを再生する。時計画像判定部１２は、再生されている前記コンテンツである再生コンテンツが示す映像内に、時刻を示す時計画像が存在するか否かを判定する。時計画像変更部１８は、前記再生コンテンツが示す映像の時計領域に存在する前記時計画像を、現在の時刻を示す正時計画像に置き換えることにより当該映像が変更された変更映像Ｉｍａを生成する。
【００８４】
これにより、生成される変更映像Ｉｍａには、現在の時刻を示す正時計画像が存在する。したがって、録画されているコンテンツが再生されている状況においても、現在の時刻を示す映像を提供することができる。
【００８５】
また、本実施の形態によれば、時刻を示す時計画像が存在する映像を示すコンテンツであって、かつ、録画されているコンテンツを再生する。時計画像生成部１６は、現在の時刻を、時計画像が示す時刻の表示形態と同じ表示形態で示す正時計画像を生成する。時計画像変更部１８は、映像Ｉｍの時計領域に存在する時計画像に正時計画像を重ねることにより、変更映像Ｉｍａを生成する。表示装置５０は、変更映像Ｉｍａを表示する。
【００８６】
これにより、表示装置５０は、録画時の過去の時刻を表示せず、現在の時刻を表示する。そのため、ユーザーが、録画時の過去の時刻を、現在の現時刻と誤認識して、混乱するという状況が発生しないようにすることができる。
【００８７】
また、本実施の形態によれば、時計画像判定部１２は、再生期間においてチャプタが変更された場合、変更後の当該チャプタに対応する先頭のフレームである映像のみに対し、判定処理Ａを行なう。これにより、処理量の削減に加え、時計関連情報記憶部１４が記憶する情報の量を削減することができる。
【００８８】
また、本実施の形態によれば、時計関連情報記憶部１４は、時計関連情報を記憶する。また、再生期間において時計関連情報判定部１１が、再生コンテンツに対応付けられた時計関連情報が時計関連情報記憶部１４に記憶されているか否かを判定する判定処理Ｎを行なう。これにより、一度、判定処理Ｎが行われると、次回の再生時には、判定処理Ｎが行われる必要がない。そのため、処理を簡略化できるという効果が得られる。
【００８９】
また、本実施の形態によれば、動作モードが正時刻表示モードであると判定された場合に、時計画像生成部１６は、現在の時刻を示す正時計画像を生成する。そのため、ユーザーの好みに応じて、当該ユーザーはリモコンを操作して、動作モード（正時刻表示モードまたは通常モード）の切り替えを行うことができる。
なお、従来のデジタル放送受信装置では、映像内に、時刻を示す時計画像が存在する、録画されたコンテンツを再生する場合、過去の時刻が表示される。そのため、当該過去の時刻を示す映像が表示された場合、ユーザーが、当該過去の時刻を現在の時刻と誤認識する可能性があるという問題点がある。
【００９０】
なお、仮に、映像に、正しい現在の時刻が付加されたとしても、当該映像内に２つの異なる時刻が表示されることになる。そのため、ユーザーが混乱してしまう可能性があるという問題点がある。
【００９１】
そこで、本実施の形態の再生装置１００は、上記の効果を奏するための構成を有する。そのため、本実施の形態の再生装置１００により、上記の各問題点を解決することができる。
【００９２】
＜実施の形態２＞
図５は、実施の形態２に係る再生装置１００Ａの構成を示すブロック図である。図５を参照して、再生装置１００Ａは、図１の再生装置１００と比較して、時計関連情報判定部１１および時計関連情報記憶部１４を備えない点と、時刻補正判定部１５の代わりに時刻補正判定部１５Ａを備える点とが異なる。再生装置１００Ａのそれ以外の構成は、再生装置１００と同様なので詳細な説明は繰り返さない。
【００９３】
詳細は後述するが、時刻補正判定部１５Ａは、再生装置１００の動作モードが正時刻表示モードであるか否かを判定する。動作モードが正時刻表示モードであると判定された場合、時刻補正判定部１５Ａは、時計画像判定部１２が動作するように、当該時計画像判定部１２を制御する。動作モードが正時刻表示モードでないと判定された場合、時刻補正判定部１５Ａは、時計画像判定部１２の動作が停止するように、当該時計画像判定部１２を制御する。
【００９４】
次に、再生装置１００Ａが行う処理（以下、「再生制御処理Ａ」ともいう）について説明する。図６は、実施の形態２に係る再生制御処理Ａのフローチャートである。図６において、図３のステップ番号と同じステップ番号の処理は、実施の形態１で説明した処理と同様な処理が行われる。以下、実施の形態１と異なる点を主に説明する。
【００９５】
再生制御処理Ａの一例を分かりやすくするために、以下の前提Ｐｍ２のもとで行われる再生制御処理Ａについて説明する。前提Ｐｍ２では、再生装置１００Ａの動作モードは正時刻表示モードである。また、再生制御処理Ａの一例を分かりやすくするために、前提Ｐｍ２では、再生装置１００Ａには、１つの録画コンテンツが記憶されているとする。また、前提Ｐｍ２では、再生されているコンテンツが示す映像Ｉｍは、図２の映像Ｉｍである。映像Ｉｍ内には時計画像５３が存在する。
【００９６】
前提Ｐｍ２における再生制御処理Ａでは、実施の形態１と同様に、再生部２０が、録画されているコンテンツ（録画コンテンツ）を再生する（ステップＳ１１）。
【００９７】
次に、時刻補正判定部１５Ａが、再生装置１００の動作モードが正時刻表示モードであるか否かを判定する判定処理Ｂを行う（ステップＳ１７）。具体的には、時刻補正判定部１５Ａは、モード情報を参照し、当該モード情報が、動作モードが正時刻表示モードであることを示すか否かを判定する。
【００９８】
ステップＳ１７においてＹＥＳならば、処理はステップＳ１４へ移行する。一方、ステップＳ１７においてＮＯならば、この再生制御処理Ａは終了する。ステップＳ１７でＹＥＳの場合は、判定処理Ｂにおいて動作モードが正時刻表示モードであると判定された場合である。
【００９９】
前提Ｐｍ２では、再生装置１００Ａの動作モードは正時刻表示モードである。そのため、処理はステップＳ１４へ移行する。
【０１００】
ステップＳ１４では、実施の形態１と同様に、時計画像が存在するか否かが判定される。具体的には、時計関連情報判定部１１の制御に従って、時計画像判定部１２が、再生コンテンツが示す映像Ｉｍ内に、時刻を示す時計画像が存在するか否かを判定する判定処理Ａを行う。判定処理Ａは、実施の形態１で説明した処理である。
【０１０１】
ステップＳ１４においてＹＥＳならば、処理はステップＳ１５Ａへ移行する。一方、ステップＳ１４においてＮＯならば、この再生制御処理Ａは終了する。ステップＳ１４においてＹＥＳの場合は、判定処理Ａにおいて時計画像が存在すると判定された場合である。
【０１０２】
前提Ｐｍ２では、映像Ｉｍ内に時計画像５３が存在する。そのため、処理はステップＳ１５Ａへ移行する。なお、処理がステップＳ１５Ａへ移行する場合は、判定処理Ｂにおいて動作モードが正時刻表示モードであると判定され、かつ、判定処理Ａにおいて時計画像が存在すると判定された場合である。
【０１０３】
ステップＳ１５Ａでは、実施の形態１と同様に、時計画像取得処理が行われる。これにより、時計画像判定部１２が、例えば、図２の時計画像５３が存在する時計領域を特定する。また、時計画像判定部１２は、時計画像５３を取得する。また、時計画像判定部１２は、実施の形態１と同様に、取得した時計画像、および、位置情報を、時計情報検出部１３へ送信する。
【０１０４】
次に、時計情報検出部１３は、実施の形態１と同様に、時計画像から時計情報を検出する時計情報検出処理を行う（ステップＳ１５Ｂ）。時計情報検出処理により、時計情報検出部１３は、時計画像から時計情報を検出する。時計情報の検出は、実施の形態１と同様な方法により行われる。
【０１０５】
ステップＳ１９では、実施の形態１と同様に、正時計画像を生成する正時計画像生成処理が行われる。時計画像生成部１６は、正時計画像を、時計情報に基づいて生成する。
【０１０６】
ステップＳ２０では、実施の形態１と同様に、時刻補正処理が行われる。時刻補正処理では、時計画像変更部１８が、再生コンテンツが示す映像Ｉｍの時計領域に存在する時計画像を、正時計画像に置き換えることにより当該映像Ｉｍが変更された変更映像Ｉｍａを生成する。時計画像変更部１８は、生成された変更映像Ｉｍａを示す映像信号を表示装置５０へ送信する。
【０１０７】
これにより、実施の形態１と同様に、表示装置５０は、受信した映像信号が示す変更映像Ｉｍａを表示する。例えば、図４のように、表示装置５０の表示部５１は、変更映像Ｉｍａを表示する。
【０１０８】
以上説明したように、本実施の形態によれば、コンテンツを再生する度に、時計情報の検出を行う必要がある。しかしながら、再生制御処理Ａでは、時計関連情報を記憶するステップ（記憶処理Ａ）が不要である。そのため、再生装置１００Ａに時計関連情報記憶部１４を設ける必要がない。したがって、再生装置１００Ａのコストを低減することができるという効果がある。
【０１０９】
（機能ブロック図）
図７は、再生装置ＢＬ１０の特徴的な機能構成を示すブロック図である。なお、図７には、説明のために表示装置ＢＬ２０も示されている。再生装置ＢＬ１０は、再生装置１００および再生装置１００Ａのいずれかに相当する。つまり、図７は、再生装置ＢＬ１０の有する機能のうち、本技術に関わる主要な機能を示すブロック図である。表示装置ＢＬ２０は、表示装置５０に相当する。
【０１１０】
再生装置ＢＬ１０は、映像信号が示す映像を表示可能な表示装置ＢＬ２０と通信する機能を有し、かつ、録画されているコンテンツを再生する。再生装置ＢＬ１０は、機能的には、現時刻検出部ＢＬ１と、時計画像判定部ＢＬ２と、時計画像変更部ＢＬ３とを備える。
【０１１１】
現時刻検出部ＢＬ１は、現在の時刻を検出する。現時刻検出部ＢＬ１は、現時刻検出部１７に相当する。
【０１１２】
時計画像判定部ＢＬ２は、再生されている前記コンテンツである再生コンテンツが示す映像内に、時刻を示す時計画像が存在するか否かを判定する第１判定処理を行う。時計画像判定部ＢＬ２は、時計画像判定部１２に相当する。
【０１１３】
前記第１判定処理において前記時計画像が存在すると判定された場合、時計画像判定部ＢＬ２は当該時計画像が存在する領域である時計領域を特定する。
【０１１４】
前記時計領域が特定された場合、時計画像変更部ＢＬ３は、前記再生コンテンツが示す映像の当該時計領域に存在する前記時計画像を、前記現在の時刻を示す正時計画像に置き換えることにより当該映像が変更された変更映像を生成する。時計画像変更部ＢＬ３は、時計画像変更部１８に相当する。
【０１１５】
前記時計領域が特定された場合、時計画像変更部ＢＬ３は、生成された前記変更映像を示す映像信号を表示装置ＢＬ２０へ送信する。
【０１１６】
（その他の変形例）
以上、本発明に係る再生装置について、実施の形態に基づいて説明したが、本発明は、当該実施の形態に限定されるものではない。本発明の主旨を逸脱しない範囲内で、当業者が思いつく変形を実施の形態に施したものも、本発明に含まれる。つまり、その発明の範囲内において、各実施の形態を自由に組み合わせたり、各実施の形態を適宜、変形、省略することが可能である。
【０１１７】
以下においては、本技術に係る再生装置を、「再生装置ｈｚｓ」ともいう。再生装置ｈｚｓは、再生装置１００，１００Ａのいずれかである。
【０１１８】
また、再生装置ｈｚｓは、図で示される全ての構成要素を含まなくてもよい。すなわち、再生装置ｈｚｓは、本技術の効果を実現できる最小限の構成要素のみを含めばよい。
【０１１９】
また、再生装置ｈｚｓに含まれる、現時刻検出部１７、時計画像判定部１２および時計画像変更部１８の各々の機能は、処理回路により実現されてもよい。
【０１２０】
当該処理回路は、再生されている前記コンテンツである再生コンテンツが示す映像内に、時刻を示す時計画像が存在するか否かを判定する第１判定処理を行うための回路である。
【０１２１】
また、当該処理回路は、前記第１判定処理において前記時計画像が存在すると判定された場合、当該時計画像が存在する領域である時計領域を特定するための回路でもある。
【０１２２】
また、当該処理回路は、前記時計領域が特定された場合、前記再生コンテンツが示す映像の当該時計領域に存在する前記時計画像を、前記現在の時刻を示す正時計画像に置き換えることにより当該映像が変更された変更映像を生成するための回路でもある。
【０１２３】
また、当該処理回路は、前記時計領域が特定された場合、生成された前記変更映像を示す映像信号を前記表示装置へ送信するための回路でもある。
【０１２４】
処理回路は、専用のハードウエアであってよい。また、処理回路は、メモリに格納されるプログラムを実行するプロセッサであってもよい。当該プロセッサは、例えば、ＣＰＵ（Central Processing Unit）、中央処理装置、演算装置、マイクロプロセッサ、マイクロコンピュータ、ＤＳＰ（Digital Signal Processor）等である。
【０１２５】
以下においては、処理回路が専用のハードウエアである構成を、「構成Ｃｓ１」ともいう。また、以下においては、処理回路が、プロセッサである構成を、「構成Ｃｓ２」ともいう。また、以下においては、現時刻検出部１７、時計画像判定部１２および時計画像変更部１８の各々の機能を、ハードウエアとソフトウエアとの組み合わせにより実現する構成を、「構成Ｃｓ３」ともいう。
【０１２６】
構成Ｃｓ１では、処理回路は、例えば、単一回路、複合回路、プログラム化されたプロセッサ、並列プログラム化されたプロセッサ、ＡＳＩＣ（Application Specific Integrated Circuit）、ＦＰＧＡ（Field Programmable Gate Array）、またはこれらを組み合わせたものが該当する。現時刻検出部１７、時計画像判定部１２および時計画像変更部１８の機能は、それぞれ、３つの処理回路で実現されてもよい。また、現時刻検出部１７、時計画像判定部１２および時計画像変更部１８の全ての機能が、１つの処理回路で実現されてもよい。
【０１２７】
なお、再生装置ｈｚｓに含まれる各構成要素の全てまたは一部を、ハードウエアで示した構成は、例えば、以下のようになる。以下においては、再生装置ｈｚｓに含まれる各構成要素の全てまたは一部を、ハードウエアで示した再生装置を、「再生装置ｈｄ１０」ともいう。
【０１２８】
図８は、再生装置ｈｄ１０のハードウエア構成図である。図８を参照して、再生装置ｈｄ１０は、プロセッサｈｄ１と、メモリｈｄ２とを備える。メモリｈｄ２は、例えば、ＲＡＭ（Random Access Memory）、ＲＯＭ（Read Only Memory）、フラッシュメモリ、ＥＰＲＯＭ、ＥＥＰＲＯＭ等の、不揮発性または揮発性の半導体メモリである。また、メモリｈｄ２は、例えば、磁気ディスク、フレキシブルディスク、光ディスク、コンパクトディスク、ミニディスク、ＤＶＤ等である。また、メモリｈｄ２は、今後使用されるあらゆる記憶媒体であってもよい。
【０１２９】
構成Ｃｓ２では、処理回路は、プロセッサｈｄ１である。構成Ｃｓ２では、現時刻検出部１７、時計画像判定部１２および時計画像変更部１８の各々の機能は、ソフトウエア、ファームウエア、またはソフトウエアとファームウエアとの組み合わせにより実現される。ソフトウエアまたはファームウエアは、プログラムとして記述され、メモリｈｄ２に格納される。
【０１３０】
また、構成Ｃｓ２では、処理回路（プロセッサｈｄ１）が、メモリｈｄ２に記憶されたプログラムを読み出して、当該プログラムを実行することにより、現時刻検出部１７、時計画像判定部１２および時計画像変更部１８の各々の機能は実現される。すなわち、メモリｈｄ２は、以下のプログラムを格納する。
【０１３１】
当該プログラムは、再生されている前記コンテンツである再生コンテンツが示す映像内に、時刻を示す時計画像が存在するか否かを判定する第１判定処理を行うステップを、処理回路（プロセッサｈｄ１）に実行させるためのプログラムである。
【０１３２】
また、当該プログラムは、前記第１判定処理において前記時計画像が存在すると判定された場合、当該時計画像が存在する領域である時計領域を特定するステップを、処理回路（プロセッサｈｄ１）に実行させるためのプログラムでもある。
【０１３３】
また、当該プログラムは、前記時計領域が特定された場合、前記再生コンテンツが示す映像の当該時計領域に存在する前記時計画像を、前記現在の時刻を示す正時計画像に置き換えることにより当該映像が変更された変更映像を生成するステップを、処理回路（プロセッサｈｄ１）に実行させるためのプログラムでもある。
【０１３４】
また、当該プログラムは、前記時計領域が特定された場合、生成された前記変更映像を示す映像信号を前記表示装置へ送信するステップを、処理回路（プロセッサｈｄ１）に実行させるためのプログラムでもある。
【０１３５】
また、当該プログラムは、現時刻検出部１７、時計画像判定部１２および時計画像変更部１８の各々が行う処理の手順、当該処理を実行する方法等をコンピュータに実行させるものでもある。
【０１３６】
構成Ｃｓ３では、現時刻検出部１７、時計画像判定部１２および時計画像変更部１８の一部の機能は、専用のハードウエアで実現される。また、構成Ｃｓ３では、現時刻検出部１７、時計画像判定部１２および時計画像変更部１８の別の一部の機能は、ソフトウエアまたはファームウエアで実現される。
【０１３７】
例えば、現時刻検出部１７および時計画像判定部１２の機能は、処理回路がメモリに格納されたプログラムを読み出して実行することによって実現される。また、例えば、時計画像変更部１８の機能は、専用のハードウエアとしての処理回路で実現される。
【０１３８】
以上の構成Ｃｓ１、構成Ｃｓ２および構成Ｃｓ３のように、処理回路は、ハードウエア、ソフトウエア、ファームウエア、またはこれらの組み合わせによって、上述の各機能を実現することができる。
【０１３９】
また、本技術は、再生装置ｈｚｓが備える特徴的な構成部の動作をステップとする再生制御方法として実現してもよい。また、本技術は、そのような再生制御方法に含まれる各ステップをコンピュータに実行させるプログラムとして実現してもよい。また、本技術は、そのようなプログラムを格納するコンピュータ読み取り可能な記録媒体として実現されてもよい。また、当該プログラムは、インターネット等の伝送媒体を介して配信されてもよい。
【０１４０】
また、本技術に係る再生制御方法は、例えば、図３の再生制御処理、または、図６の再生制御処理Ａに相当する。
【０１４１】
上記実施の形態で用いた全ての数値は、本技術を具体的に説明するための一例の数値である。すなわち、本技術は、上記実施の形態で用いた各数値に制限されない。
【０１４２】
なお、本発明は、その発明の範囲内において、各実施の形態を自由に組み合わせたり、各実施の形態を適宜、変形、省略することが可能である。
【０１４３】
例えば、再生装置１００または再生装置１００Ａは、録画機能を有さず、再生機能を有する装置であってよい。
【符号の説明】
【０１４４】
１１  時計関連情報判定部、１２，ＢＬ２  時計画像判定部、１３  時計情報検出部、１４  時計関連情報記憶部、１５，１５Ａ  時刻補正判定部、１６  時計画像生成部、１７，ＢＬ１  現時刻検出部、１８，ＢＬ３  時計画像変更部、５０，ＢＬ２０  表示装置、１００，１００Ａ，ＢＬ１０，ｈｄ１０  再生装置。
【図１】
2020145631.tif 000003
【図２】
2020145631.tif 000004
【図３】
2020145631.tif 000005
【図４】
2020145631.tif 000006
【図５】
2020145631.tif 000007
【図６】
2020145631.tif 000008
【図７】
2020145631.tif 000009
【図８】
2020145631.tif 000010